(57)【特許請求の範囲】
【請求項１】
キャビネットに、キャビネット内外の空気が流通する開口が形成され、開口に、開閉パネルが開閉可能に設けられ、開閉パネルの一側に第１軸が位置し、開閉パネルの他側に第２軸が位置し、開閉パネルは各軸を中心にして両開き可能とされ、開閉パネルが開閉するとき、第１軸および第２軸は開口に対して移動可能とされ、第１軸が開口の一側の端縁から離れた位置に設けられ、第２軸が開口の他側の端縁の近くに設けられ、開閉中心となる軸側の開閉パネルの端部が開口に近接するように開閉中心の軸が移動し、開閉パネルが第１軸を中心にして開くとき、第１軸は開口に近づくように移動し、開閉パネルが第２軸を中心にして開くとき、第２軸は開口から離れる方向に移動してから開口に近づく方向に移動することを特徴とする空気調和機。
【請求項２】
キャビネットに、キャビネット内外の空気が流通する開口として吹出口が形成され、吹出口に、開閉パネルが開閉可能に設けられ、開閉パネルの一側に第１軸が位置し、開閉パネルの他側に第２軸が位置し、開閉パネルは各軸を中心にして両開き可能とされ、開閉パネルが開閉するとき、第１軸および第２軸は吹出口に対して移動可能とされ、第１軸が吹出口の一側の端縁から離れた位置に設けられ、第２軸が吹出口の他側の端縁から離れた位置にあり、開閉中心となる軸側の開閉パネルの端部が吹出口に近接するように開閉中心の軸が移動し、開閉パネルが第１軸を中心にして開くとき、第１軸は吹出口に近づくように移動し、開閉パネルが第２軸を中心にして開くとき、第２軸は吹出口に近づくように移動することを特徴とする空気調和機。
【請求項３】
各軸を保持する２つの軸保持部と、各軸を移動させる軸移動部と、開閉パネルを移動させるパネル移動部とを備え、第１軸あるいは第２軸のいずれか一方の軸を中心にして開閉パネルが開閉するとき、一方の軸は一方の軸保持部に保持され、他方の軸は他方の軸保持部による保持を解除され、開閉パネルの移動に連動して一方の軸が移動することを特徴とする請求項１または２記載の空気調和機。
【請求項４】
開閉パネルが開くとき、軸保持部が動作した後、軸移動部およびパネル移動部が連動して動作し、開閉パネルが閉じるとき、軸移動部およびパネル移動部が動作した後、軸保持部が動作することを特徴とする請求項３記載の空気調和機。
【請求項５】
キャビネットに、風を吹き出す吹出口に通じる通風路が形成され、通風路にイオンを放出するイオン発生装置が設けられ、通風路に、風の流れを調節する導風板が設けられ、導風板はイオン発生装置よりも送風方向上流側に配置され、導風板はイオン発生装置に風を導くことを特徴とする請求項１〜４のいずれかに記載の空気調和機。
【発明の詳細な説明】
【技術分野】
【０００１】
本発明は、吹出口などの開口に設けられた両開き可能な開閉パネルを有する空気調和機に関する。
【背景技術】
【０００２】
空気調和機の室内ユニットでは、キャビネットに吸込口と吹出口が形成され、吸込口から吸い込まれた空気が熱交換され、吹出口から温風あるいは冷風が吹き出される。冷暖房運転に応じて、吹き出す風の向きを切り換える開閉パネルが吹出口に設けられている。開閉パネルは、上下の軸を中心にして上下両開き可能とされる。冷暖房運転に応じて開閉パネルの開く方向が変わる。
【０００３】
暖房運転時、開閉パネルが下開きすると、開閉パネルの上軸側の端縁は吹出口から離れ、吹き出した風が開閉パネルに沿って流れない。そこで、特許文献１では、上軸が移動可能とされ、開閉パネルが上軸を中心にして開くとき、上軸が吹出口に近づくように移動することが開示されている。暖房運転時、下開きした開閉パネルが吹出口に連なって、吹出口が延長される。これにより、風が開閉パネルに沿って流れ、風の流れを制御することができる。
【先行技術文献】
【特許文献】
【０００４】
【特許文献１】特許第５２１５４４１公報
【発明の概要】
【発明が解決しようとする課題】
【０００５】
一方、冷房運転時、上記の開閉パネルは固定された下軸周りに上開きする。下軸が吹出口の端縁に近い位置にある場合、開閉パネルが全開したときには、開閉パネルの下軸側の端部と吹出口の端縁との間の隙間が小さくなる。風の漏れが減って、送風ロスを低減できる。開閉パネルが少し開いたとき、冷風を天井に沿って吹き出すコアンダ気流が生じ、冷風が遠くまで届く。このとき、開閉パネルの下軸側の端部が吹出口の端縁から離れ、隙間が大きくなる。そのため、冷風が開閉パネルの外面に漏れ、開閉パネルの外面に発露が生じる。また、吹出口から吹き出す風量が減り、送風ロスが生じる。
【０００６】
一方、コアンダ気流が生じるときの開閉パネルの開度において、開閉パネルと吹出口との隙間ができないように下軸が位置する場合、開閉パネルの全開時に開閉パネルの下軸側の端縁が吹出口に干渉する。開閉する開閉パネルを避けるために、キャビネットに切り欠きを設けなければならず、吹出口の形状が制約を受ける。
【０００７】
このように、開閉パネルの開く角度によって開閉パネルと吹出口との間に隙間が生じ、風が漏れる。その結果、送風ロスとなって、送風性能が低下する。そこで、本発明は、上記に鑑み、開閉パネルが開いて送風するとき、風が漏れないようにして、送風性能を向上させることができる空気調和機の提供を目的とする。
【課題を解決するための手段】
【０００８】
本発明は、キャビネットに、キャビネット内外の空気が流通する開口が形成され、開口に、開閉パネルが開閉可能に設けられ、開閉パネルの一側に第１軸が位置し、開閉パネルの他側に第２軸が位置し、開閉パネルは各軸を中心にして両開き可能とされ、第１軸および第２軸は開口に対して移動可能とされたものである。開閉パネルが開閉するとき、開閉中心となる軸側の開閉パネルの端部が開口に近接あるいは離間するように、開閉中心の軸が移動する。
【０００９】
開閉パネルが開くときに開閉パネルの端部が開口に近づくと、開閉パネルと吹出口との隙間が小さくなる。開閉パネルが閉じるときには、開閉パネルの端部は開口から離れる。
【００１０】
第１軸が開口の一側の端縁から離れた位置に設けられ、第２軸が開口の他側の端縁の近くに設けられ、開閉パネルが第１軸を中心にして開くとき、第１軸は開口に近づくように移動する。開閉パネルの端部と開口の端縁との距離が縮まりながら、開閉パネルが開く。開閉パネルが第２軸を中心にして開くとき、第２軸は開口から離れる方向に移動してから開口に近づく方向に移動する。開閉パネルの端部を吹出口の端縁に近づけることができる。
【００１１】
開閉パネルの開閉機構は、各軸を保持する２つの軸保持部と、各軸を移動させる軸移動部と、開閉パネルを移動させるパネル移動部とを備えている。第１軸あるいは第２軸のいずれか一方の軸を中心にして開閉パネルが開閉するとき、一方の軸は一方の軸保持部に保持され、他方の軸は他方の軸保持部による保持を解除され、開閉パネルの移動に連動して一方の軸が移動する。
【００１２】
開閉パネルが開くとき、軸保持部が動作した後、軸移動部およびパネル移動部が連動して動作し、開閉パネルが閉じるとき、軸移動部およびパネル移動部が動作した後、軸保持部が動作する。軸の保持および解除は、軸および開閉パネルの移動とは同時に行われない。
【００１３】
キャビネットに、風を吹き出す開口に通じる通風路が形成され、通風路にイオンを放出するイオン発生装置が設けられ、通風路に、風の流れを調節する導風板が設けられ、導風板はイオン発生装置よりも送風方向上流側に配置され、導風板はイオン発生装置に風を導く。
【００１４】
導風板は、通風路を流れる風の一部をイオン発生装置に向かわす。イオン発生装置の近くを通る風がイオン発生装置から放出されたイオンを運び去る。放出されたイオンは、消失することなく吹出口から吹き出される。
【発明の効果】
【００１５】
本発明によると、開閉パネルの開く方向に関係なく、軸の移動により開閉パネルの端部と吹出口との隙間が小さくなるので、風が漏れないようにできる。したがって、送風ロスが減り、送風性能を向上できる。
【図面の簡単な説明】
【００１６】
【図１】本発明の空気調和機の室内ユニットの正面図
【図２】（ａ）導風パネルが閉姿勢のときの室内ユニットの断面図、（ｂ）導風パネルが下開きしたときの室内ユニットの断面図、（ｃ）導風パネルが上開きしたときの室内ユニットの断面図
【図３】空気調和機の制御ブロック図
【図４】吹出ユニットの斜視図
【図５】開閉機構の軸保持部および軸移動部を示す図
【図６】開閉機構のパネル移動部を示す図
【図７】内面側から見た開閉機構の分解斜視図
【図８】外面側から見た開閉機構の分解斜視図
【図９】回転体の外面を示す図
【図１０】回転体の内面を示す図
【図１１】内ケースの内面を示す図
【図１２】運転停止時の開閉機構の外観を示す図
【図１３】運転停止時の軸保持部および軸移動部の動きを示す図
【図１４】運転停止時のパネル移動部の動きを示す図
【図１５】上開き時に上軸の保持が解除されるときの開閉機構の外観を示す図
【図１６】上開き時に上軸の保持が解除されるときの軸保持部および軸移動部の動きを示す図
【図１７】上開き時に上軸の保持が解除されるときのパネル移動部の動きを示す図
【図１８】上開き時に下軸が移動するときの開閉機構の外観を示す図
【図１９】上開き時に下軸が移動するときの軸保持部および軸移動部の動きを示す図
【図２０】上開き時に下軸が移動するときのパネル移動部の動きを示す図
【図２１】最大上開き時の開閉機構の外観を示す図
【図２２】最大上開き時の軸保持部および軸移動部の動きを示す図
【図２３】最大上開き時のパネル移動部の動きを示す図
【図２４】上開き時の導風パネルとキャビネットとの隙間を示す図であって、（ａ）は導風パネルが閉姿勢のとき、（ｂ）は導風パネルが中間開きのとき、（ｃ）は導風パネルが最大開きのとき
【図２５】下開き時に下軸の保持が解除されるときの開閉機構の外観を示す図
【図２６】下開き時に下軸の保持が解除されるときの軸保持部および軸移動部の動きを示す図
【図２７】下開き時に下軸の保持が解除されるときのパネル移動部の動きを示す図
【図２８】下開き時に上軸が移動するときの開閉機構の外観を示す図
【図２９】下開き時に上軸が移動するときの軸保持部および軸移動部の動きを示す図
【図３０】下開き時に上軸が移動するときのパネル移動部の動きを示す図
【図３１】最大下開き時の開閉機構の外観を示す図
【図３２】最大下開き時の軸保持部および軸移動部の動きを示す図
【図３３】最大下開き時のパネル移動部の動きを示す図
【図３４】前カバーが閉姿勢のときの室内ユニットの断面図
【図３５】前カバーが上開きしたときの室内ユニットの断面図
【図３６】前カバーの上開き時に下軸が移動したときの室内ユニットの断面図
【図３７】前カバーが下開きしたときの室内ユニットの断面図
【図３８】前カバーが下開き時に上軸が移動したときの室内ユニットの断面図
【図３９】風向変更パネルが閉姿勢のときの室内ユニットの断面図
【図４０】２つの風向変更パネルが連なって開いたときの室内ユニットの断面図
【図４１】２つの風向変更パネルが同じ方向に開いたときの室内ユニットの断面図
【図４２】２つの風向変更パネルが異なる方向に開いたときの室内ユニットの断面図
【図４３】上面に吹出口が形成された空気調和機を示す図
【図４４】導風パネルが後軸を中心にして開いた空気調和機を示す図
【図４５】導風パネルが前軸を中心にして開いた空気調和機を示す図
【図４６】導風板を備えた室内ユニットの断面図
【図４７】他の形態の導風板を備えた室内ユニットの断面図
【図４８】他の形態の導風板を備えた室内ユニットの断面図
【図４９】他の形態の導風板を示す図
【発明を実施するための形態】
【００１７】
（第１実施形態）
本実施形態の空気調和機の室内ユニットを図１、２に示す。室内ユニットは、熱交換器１および室内ファン２を備え、これらがキャビネット３に内装されている。キャビネット３に形成された開口として、吸込口４および吹出口５が設けられる。吸込口４は、キャビネット３の上面に形成される。キャビネット３の前面から底面にかけて湾曲面とされ、湾曲面に吹出口５が形成される。
【００１８】
キャビネット３の内部には、吸込口４から吹出口５に至る通風路６が形成され、この通風路６に熱交換器１と室内ファン２とが配設される。吸込口４と熱交換器１との間に、フィルタが配され、吸込口４から吸込んだ室内の空気から塵埃がフィルタにより除去される。
【００１９】
キャビネット３には、吹出口５を開閉する導風パネル１０が設けられる。導風パネル１０は、開閉可能な開閉パネルとして吹出口５の前方に配され、上下両開き可能とされる。導風パネル１０は吹出口５より大きく形成される。
【００２０】
導風パネル１０は、上下の２つの軸をそれぞれ中心にして、異なる方向に回動することにより、上下いずれかの方向に開く。図２（ｂ）に示すように、暖房運転時には導風パネル１０は上軸１１周りに下開きする。この下開き姿勢のとき、導風パネル１０は、吹出口５の前方を遮蔽し、前方に向かって吹き出される温風を押さえ込み、温風を床面方向に導く。なお、急速冷房運転時にも、導風パネル１０は下開き姿勢とされ、冷風が床面方向に吹き出され、急速冷房が行われる。
【００２１】
図２（ｃ）に示すように、導風パネル１０は、冷房運転時には下軸１２周りに上開きする。この上開き姿勢のとき、導風パネル１０は、冷風を斜め上方向に導き、冷風が天井に沿って吹き出す。図２（ａ）に示すように、導風パネル１０は、運転停止時には閉姿勢となり、吹出口５を覆って、キャビネット３と一体化する。
【００２２】
空気調和機では、室内ユニットに対して図示しない室外ユニットが室外に設置されている。室外ユニットには、圧縮機、熱交換器、四方弁、室外ファン等が内装され、これらと室内側の熱交換器１とによって冷凍サイクル１３が形成される。そして、図３に示すように、冷凍サイクル１３を制御する制御装置１４が室内ユニットに設けられる。マイコンからなる制御装置１４は、ユーザの指示および室温や外気温を検出する温度センサ等の各種のセンサ１５の検出信号に基づいて、冷凍サイクル１３を制御し、冷暖房運転を行う。このとき、制御装置１４は、冷暖房運転に応じて導風パネル１０の開閉を制御する。
【００２３】
キャビネット３は、後側の背面板１７と、前側の前面パネル１８とによって左右方向に横長の箱状に形成される。前面パネル１８は背面板１７に着脱可能に取り付けられる。キャビネット３に、吹出口５を形成するための吹出ユニット２０が設けられる。前面パネル１８の前側の下部に形成された開口に、吹出ユニット２０が内装され、吹出ユニット２０は背面板１７にねじ等によって取り付けられる。
【００２４】
図４に示すように、吹出ユニット２０は、上下左右の壁によって筒状に形成される。吹出ユニット２０の内部の空間が通風路６の一部となり、吹出ユニット２０の前面の開口が吹出口５となり、前面パネル１８の前側下部の開口に連通される。吹出ユニット２０の上壁２１は、後側部分ではほぼ水平とされ、前側部分では、斜め上に向かって折れ曲がり、斜め上に向かって傾斜した前壁２２につながる。下壁２３は、後側から前側に向かって下がるように傾斜している。左右の側壁２４は、垂直であり、前縁が湾曲している。吹出口５の端縁は、上壁２１と前壁２２との境界、下壁２３の前縁および左右の側壁２４の前縁となる。
【００２５】
吹出ユニット２０には、風向板２５およびルーバ２６が設けられる。風向板２５は、左右方向に角度を変えて、左右方向の風向きを変える。ルーバ２６は、上下方向に角度を変えて、上下方向の風向きを変える。また、吹出ユニット２０に、イオン発生装置２７が装着されている。
【００２６】
吹出ユニット２０の前方に、吹出口５を覆うように導風パネル１０が配される。導風パネル１０は、左右方向において吹出ユニット２０より大きく形成される。導風パネル１０は、上軸１１あるいは下軸１２を中心にして開閉する。
【００２７】
上軸１１および下軸１２は、導風パネル１０の左右両側に設けられ、キャビネット３に対して移動可能とされる。導風パネル１０の送風性能を向上させるために、導風パネル１０が開閉するとき、上軸１１と下軸１２のうち、開閉中心となる一方の軸が移動して、導風パネル１０の端部が吹出口５の端縁に近づいたり、離れたりする。制御装置１４は、冷暖房運転に応じて導風パネル１０の開閉、上軸１１の移動および下軸１２の移動を制御する。
【００２８】
導風パネル１０が開閉するとき、上軸１１と下軸１２のうち、開閉中心となる一方の軸が保持され、他方の軸は保持を解除される。そして、導風パネル１０の移動に連動して、一方の軸が移動する。図５〜８に示すように、導風パネル１０の移動と各軸１１、１２の移動を行うための開閉機構として、上軸１１を保持する上軸保持部と、下軸１２を保持する下軸保持部と、各軸１１、１２を移動させる軸移動部と、導風パネル１０を移動させるパネル移動部とを備えている。開閉機構は、左右の各軸１１、１２に対してそれぞれ設けられる。
【００２９】
閉姿勢の導風パネル１０は、吹出口５を覆い、導風パネル１０の上側の端縁は吹出ユニット２０の前壁２２の前方に位置している。このとき、上軸１１は、吹出口５の上側の端縁よりも斜め上の離れた位置にある。下軸１２は、吹出口５の下側の端縁の前方に位置している。導風パネル１０の下側の端縁は、吹出口５の端縁よりも前方に位置する。
【００３０】
上軸１１を中心にして導風パネル１０が下開きするとき、上軸保持部が上軸１１を保持したまま下軸保持部は下軸１２の保持を解除する。パネル移動部が導風パネル１０を移動させるとともに、軸移動部は保持された上軸１１を移動させる。上軸１１が吹出口５に近づき、導風パネル１０の上側の端部が吹出口５に近づきながら、導風パネル１０が開く。
【００３１】
下軸１２を中心にして導風パネル１０が上開きするとき、下軸保持部が下軸１２を保持したまま上軸保持部は上軸１１の保持を解除する。パネル移動部が導風パネル１０を移動させるとともに、軸移動部は保持された下軸１２を移動させる。下軸１２が吹出口５の下側の端縁から離れる方向に移動し、その後吹出口５の端縁に近づく方向に移動する。導風パネル１０が開いている間、導風パネル１０の下側の端部は吹出口５の下側の端縁の近くに位置する。
【００３２】
導風パネル１０は、キャビネット３の湾曲面に沿って左右方向に長く形成される。閉姿勢の導風パネル１０は、キャビネット３の湾曲面を構成する。導風パネル１０の幅は、キャビネット３の幅と同寸とされ、吹出口５の幅より大とされる。
【００３３】
導風パネル１０の左右方向の両側に、ベース材３０が設けられている。左右のベース材３０は、フック、爪、ねじなどの固定部材により導風パネル１０の内面に着脱可能に取り付けられる。ベース材３０は、アーム３１の先端に回動可能に取り付けられる。左右のアーム３１は、キャビネット３に移動可能に保持される。すなわち、導風パネル１０は、アーム３１を介してキャビネット３に取り付けられ、かつキャビネット３に着脱可能とされる。
【００３４】
上軸１１はベース材３０の前側に設けられ、ベース材３０よりもキャビネット３側に位置する。下軸１２はベース材３０の後側に設けられ、ベース材３０よりもキャビネット３側に位置する。したがって、上軸１１は、導風パネル１０の上側の端縁の近くに位置する。下軸１２は、導風パネル１０の下側の端縁の近くに位置する。また、上下軸１１、１２は、左右方向において、吹出口５よりも外側に位置する。そのため、上下軸１１、１２は、吹出口５から吹き出される風の流れを邪魔することはない。
【００３５】
なお、ベース材３０を導風パネル１０に一体化してもよい。アーム３１は、導風パネル１０に直接取り付けられる。この場合、アーム３１を導風パネル１０に着脱可能に取り付けることにより、導風パネル１０はキャビネット３に対して着脱可能となる。
【００３６】
上軸保持部は、上カム３２と上フック３３とから構成され、上カム３２と上フック３３は相対的に移動可能とされ、上軸保持部は、上カム３２および上フック３３を移動させる回転体３４を有する。回転体３４が回転すると、上カム３２と上フック３３が相対的に近づくように移動して、上軸１１が下方から支えられて保持される。上カム３２と上フック３３が相対的に離れるように移動することにより、上軸１１の下方が解放され、上軸１１の保持が解除される。また、上カム３２は、キャビネット３に対して移動可能に設けられ、上フック３３は、上カム３２に移動可能に設けられる。
【００３７】
下軸保持部は、下カム３５と下フック３６とから構成される。下軸保持部も上軸保持部と同様に構成され、回転体３４の回転により、下カム３５と下フック３６が相対的に移動して、下軸１２の保持および保持の解除が行われる。また、下カム３５は、キャビネット３に対して移動可能に設けられ、下フック３６は、下カム３５に移動可能に設けられる。
【００３８】
軸移動部は、上カム３２および上フック３３と下カム３５および下フック３６を移動可能に保持する回転体３４を有する。回転体３４の回転により、上カム３２および上フック３３が移動する。このとき、下カム３５および下フック３６は停止している。下カム３５および下フック３６が移動するとき、上カム３２および上フック３３は停止している。パネル移動部も回転体３４を利用する。アーム３１が回転体３４に回動可能に保持され、回転体３４の回転により、アーム３１がキャビネット３に対して出入りする。
【００３９】
回転体３４は、駆動モータ３７により回転駆動される。回転体３４の外周面に歯が形成され、回転体３４と駆動モータ３７の駆動ギア３８との間にアイドラギア３９が組み合わされている。駆動モータの正逆転により、回転体３４は正回転あるいは逆回転する。この回転体３４の回転により、アーム３１、上カム３２、上フック３３、下カム３５および下フック３６がそれぞれ移動する。このように、駆動モータ３７は、上軸保持部、下軸保持部、軸移動部およびパネル移動部を駆動するための駆動源となる。すなわち、１つのモータ３７によって開閉機構は動作する。なお、左右の開閉機構に対応して、駆動モータ３７は左右にそれぞれ配されている。
【００４０】
開閉機構を構成する各部材はケース４０に装着され、開閉機構はユニット化される。図１に示すように、ケース４０は、キャビネット３内の左右両側にそれぞれ配置され、キャビネット３にねじなどにより取り付けられる。
【００４１】
ケース４０は、左右一対の外ケース４１、内ケース４２によって２分割可能に形成される。内ケース４２がキャビネット３の内面側に位置し、外ケース４１が外面側に位置する。キャビネット３の内面側は、左右方向において吹出口５に面する側であり、外面側は、キャビネット３の左右の側面に面する側である。
【００４２】
ケース４０の下部の湾曲面が導風パネル１０に対向し、この湾曲面にアーム３１が出入りする開口４３が形成されている。導風パネル１０に連結されたアーム３１は、ケース３２の開口４３を通ってキャビネット３から出没する。
【００４３】
回転体３４は、外ケース４１に形成された支軸４４に回動可能に支持される。アイドラギア３９の軸が外ケース４１の孔および内ケース４２の孔に回動可能に支持される。駆動モータ３７は、外ケース４１に装着される。
【００４４】
図９、１０に示すように、回転体３４の外面および内面に、開閉機構を構成する各部材の移動を案内するガイドが設けられている。ガイドとして、回転体３４の内面に、第１〜第３レーン５１〜５３が形成され、外面に、第４レーン５４が形成される。また、図１１に示すように、内ケース４２にも、ガイドとして第５レーン５５と第６レーン５６が形成される。
【００４５】
第１レーン５１は、上フック３３の移動を案内する。第２レーン５２は、下カム３５の移動を案内する。第３レーン５３は、上カム３２の移動を案内する。第４、第５レーン５４、５５は、アーム３１の移動を案内する。第６レーン５６は、下フック３６の移動を案内する。
【００４６】
上フック３３の外面に、２つのスライドボス５７が形成され、内面に、ガイドボス５８が形成される。上カム３２の外面に、軸ボス５９が形成され、内面に、ガイドボス６０が形成される。上カム３２に、２つの長孔６１が形成される。上フック３３のガイドボス５８は、第１レーン５１に嵌められ、このガイドボス５８は第１レーン５１をスライドする。上フック３３の２つのスライドボス５７は、上カム３２の長孔６１にそれぞれ嵌め込まれる。スライドボス５７は、長孔６１に沿ってスライドする。上カム３２のガイドボス６０は、第３レーン５３に嵌められ、このガイドボス６０は第３レーン５３をスライドする。上カム３２の軸ボス５９は、外ケース４１に形成された軸受ボス６２に差し込まれる。上カム３２は、軸ボス５９を中心にして回動可能とされる。上フック３３のガイドボス５８は上カム３２の軸ボス５９と同一軸上に形成される。したがって、上カム３２は、ケース４０に回動可能に支持され、上フック３３は、上カム３２に移動可能に保持される。上フック３３は上カム３２に対してスライドするとともに、上カム３２と一体的に軸受ボス周りを回動する。
【００４７】
下カム３５の内面に、軸ボス６３、ガイドボス６４およびストップボス６５が形成される。下フック３６の外面に、２つの移動ボス６６が形成される。下フック３６の内面に、ガイドボス６７が形成される。下カム３５の軸ボス６３は、下フック３６に形成された縦孔６８を貫通し、内ケース４２に形成された軸受ボス６９に差し込まれる。下カム３５は、軸ボス６３を中心にして回動可能とされる。下カム３５のガイドボス６４は、第２レーン５２に嵌められる。下フック３６の移動ボス６６は、下カム３５に形成された２つのガイド孔７０に挿入される。下フック３６のガイドボス６７は、内ケース４２の第６レーン５６に嵌められる。したがって、下カム３５は、ケース４０に回動可能に支持され、下フック３６は、下カム３５に対して回動可能かつスライド可能に保持されるとともに、下カム３５と一体的に軸受ボス６９周りに回動する。
【００４８】
アーム３１の先端に孔７１が形成され、ベース材３０の支持片７２に軸孔７３が形成され、アーム３１の孔７１と軸孔７３に軸ピン７４が嵌め込まれる。ベース材３０は、アーム３１に回動可能に保持される。アーム３１の後端に外ガイドボス７６と内ガイドボス７５が形成される。外ガイドボス７６は、第４レーン５４に嵌められる。内ガイドボス７５は、内ケース４２の第５レーン５５に嵌められる。したがって、アーム３１の後端が内ケース４２と回転体３４に挟まれ、アーム３１はケース４０に移動可能に保持される。
【００４９】
各フック３３、３６および各カム３２、３５は、回転体３４の回転に応じてそれぞれ対応するレーンを移動する。導風パネル１０が閉姿勢にあるとき、図９〜１１に示すように、各フック３３、３６および各カム３２、３５はそれぞれ所定の停止位置にある。上フック３３は第１レーン５１のＳ１にある。下カム３５は第２レーン５２のＳ２にある。上カム３２は第３レーン５３のＳ３にある。下フック３６は第６レーン５６のＳ６にある。また、アーム３１は第４レーン５４のＳ４および第５レーン５５のＳ５にある。なお、導風パネル１０が下開きするとき、回転体３４は時計回りに回転する。導風パネル１０が上開きするとき、回転体３４は反時計回りに回転する。
【００５０】
導風パネル１０が開くとき、先に一方の軸の保持が解除され、その後、保持された他方の軸が移動しながら導風パネル１０が開く。導風パネル１０が閉じるとき、保持された他方の軸が移動しながら導風パネル１０が閉じ、導風パネル１０の移動が停止してから一方の軸が保持される。回転体３４が時計回りに回転するとき、導風パネル１０は下開きし、回転体３４が反時計回りに回転するとき、導風パネル１０は上開きする。導風パネル１０が閉じるときは、回転体３４は、開くときとは逆方向に回転する。
【００５１】
第１レーン５１は、支軸４４を中心とした円周方向に形成される。第１レーン５１に、回転体３４の中心に近づくように半径方向に変化する解除区間８０が形成されている。この解除区間８０を上フック３３が通過するとき、上フック３３は上カム３２に対して移動する。導風パネル１０が上開きするとき、解除区間８０を上フック３３のガイドボス５８が通過する。このとき、上軸１１の保持の解除が行われる。導風パネル１０が閉じるときには、保持を解除された上軸１１の保持が行われる。第１レーン５１の解除区間８０以外の円周区間８１は同一円周上に形成される。この円周区間８１では、上フック３３は、上カム３２に対して移動しない。
【００５２】
第３レーン５３は、支軸４４を中心とした円周方向に形成される。第３レーン５３に、回転体３４の中心に近づくように半径方向に変化する移動区間８２が形成されている。また、第３レーン５３には、２つの円周区間８３、８４がそれぞれ異なる円周上に形成され、回転体３４の中心に近い円周上にあるのが小円周区間８３とされ、回転体３４の中心から遠い円周上にあるのが大円周区間８４とされる。移動区間８２は、小円周区間８３と大円周区間８４とをつなぐ。
【００５３】
上カム３２のガイドボス６０が移動区間８２を通過するとき、上カム３２は移動する。導風パネル１０が下開きするとき、移動区間８２を上カム３２のガイドボス６０が通過する。このとき、上フック３３のガイドボス５８は円周区間８１を移動する。上カム３２が上フック３３とともに回動することにより、上軸１１が移動する。導風パネル１０が閉じるときにも、上軸１１が移動する。上カム３２のガイドボス６０が小円周区間８３あるいは大円周区間８４を通過するとき、上カム３２は移動しない。上フック３３のガイドボス５８が第１レーン５１の解除区間８０を通過するとき、上カム３２のガイドボス６０は小円周区間８３を通過する。したがって、上フック３３が移動して、上カム３２は移動しない。
【００５４】
第２レーン５２は、支軸４４を中心とした円周方向に形成される。第２レーン５２に、回転体３４の中心から遠ざかるように変化する解除区間８５と回転体３４の中心に近づくように変化する移動区間８６が形成されている。下カム３５のガイドボス６０が解除区間８５あるいは移動区間８６を通過するとき、下カム３５は移動する。導風パネル１０が下開きするとき、解除区間８５を下カム３５のガイドボス６４が通過する。このとき、下カム３５が時計回りに回動することにより、下軸１２の保持の解除が行われる。導風パネル１０が閉じるときには、保持を解除された下軸１２の保持が行われる。導風パネル１０が上開きするとき、下カム３５のガイドピン６４が移動区間８６を通過する。このとき、下カム３５が反時計回りに回動することにより、下軸１２が移動する。第２レーン５２の解除区間８５以外の円周区間８７は同一円周上に形成される。この円周区間８７では、下カム３５は移動しない。
【００５５】
第６レーン５６は上下方向に形成される。下カム３５の移動に応じて下フック３６が移動する。下カム３５のガイドボス６４が第２レーン５２の解除区間８５を通過するとき、下カム３５が時計回りに回動する。下カム３５のガイド孔７０に嵌められた下フック３６の移動ボス６６が下カム３５の回動によって押され、下フック３６が軸ボス６３を中心に回動しながら、第６レーン５６に沿って下方向に移動する。このとき、下カム３５と下フック３６は互いに離れるように移動して、下軸１２の保持が解除される。解除された下軸２０が保持されるときは、下カム３５および下フック３６は上記とは逆に移動する。下カム３５のガイドボス６４が第２レーン５２の移動区間８６を通過するとき、下フック３６は、下カム３５に対しては移動しないが、回動する下カム３５とともに回動する。これにより、下フック３６はキャビネット３に対して移動する。
【００５６】
第４レーン５４は、回転体３４の半径方向に直線状に形成される。第５レーン５５には、アーム３１を移動させない解除区間８８とアーム３１を移動させる移動区間８９が形成されている。解除区間８８は、停止時のアーム３１の軸ピン７４を中心にした円周上に形成される。移動区間８９は、導風パネル１０の開角度に応じて軸ピン７４が移動するように、徐々に曲率が変化するように形成される。アーム３１の内ガイドボス７５が解除区間８８を移動するとき、外ガイドボス７６が第４レーン５４を移動する。導風パネル１０が上開きするとき、外ガイドボス７６は回転体３４の中心から遠ざかる方向に移動し、導風パネル１０が下開きするとき、外ガイドボス７６は回転体３４の中心に近づく方向に移動する。これにより、アーム３１は軸ピンを中心にして回動する。そのため、軸ピンは移動せず、導風パネル１０も移動しない。内ガイドボス７５が上部の移動区間８９あるいは下部の移動区間８９を通過するとき、内ガイドボス７５が吹出口５に近づく、あるいは吹出口５から遠ざかるように移動する。このとき、アーム３１はキャビネット３に対して出入りする。
【００５７】
導風パネル１０の開閉は、制御装置１４によって制御される。運転の指示に応じて制御装置１４が駆動モータ３７を動作させると、導風パネル１０が開く。運転停止の指示に応じて制御装置１４は、駆動モータ３７を動作させて導風パネル１０を閉じ、導風パネル１９が閉姿勢になると、駆動モータ３７を停止させる。回転体３４およびアーム３１はイニシャル位置にあるとき、導風パネル１０が閉姿勢になる。
【００５８】
そこで、回転体３４の位置を検出する位置検出器がケース４０に設けられる。導風パネル１０が閉姿勢になって、回転体３４がイニシャル位置に到達したとき、位置検出器４０は、検知信号を出力する。制御装置１４は、位置検出器から検知信号を受け取ると、駆動モータ３７を停止させる。
【００５９】
導風パネル１０の開角度が最大になると、駆動モータ３７は停止する。制御装置１４は、駆動モータ３７の回転角度をカウントしている。所定の回転角度に達したとき、導風パネル１０は全開する。制御装置１４は、所定の回転角度を検知すると、駆動モータ３７を停止させる。
【００６０】
運転が停止しているとき、図１２〜１４に示すように、導風パネル１０は閉姿勢にある。上カム３２および上フック３３は、それぞれ停止位置にあり、上軸１１を保持している。下カム３５および下フック３６は、それぞれ停止位置にあり、下軸１２を保持している。アーム３１はイニシャル位置にある。ここで、冷房運転の指示があると、制御装置１４は、導風パネル１０が上開きするように駆動モータ３７を駆動制御する。駆動モータ３７が動作すると、回転体３４は反時計回りに回転する。
【００６１】
図１５〜１７に示すように、上フック３３のガイドボス５８が第１レーン５１の解除区間を通過し、上カム３２のガイドボス６０が第３レーン５３の小円周区間８３を通過する。上フック３３が回転体３４の中心に向かって移動する。スライドボス５７が停止している上カム３２の長孔６１に案内され、上フック３３が後側に向かって移動する。上フック３３は上カム３２に対してスライドする。これにより、上軸１１の保持が解除される。
【００６２】
下カム３５のガイドボス６４は第２レーン５２の円周区間８７を通過する。下カム３５および下フック３６は移動しない。アーム３１の内ガイドボス７５は解除区間８８を通過する。アーム３１はキャビネット３から突出しない。これにより、上軸１１の保持が解除されるとき、導風パネル１０は閉姿勢のままである。
【００６３】
上フック３３のガイドボス５８が第１レーン５１の解除区間８０を通過中、アーム３１の内ガイドボス７５が上側の移動区間８９に差し掛かると、アーム３１はキャビネット３から突出するように移動する。下軸１２が保持されているので、導風パネル１０は下軸１２周りに回動し、導風パネル１０が上開きする。上軸１１が上カム３２から離れると、上フック３３のガイドボス５８が第１レーン５１の解除区間８０から円周区間８１に向かって移動するので、上フック３３が停止した上カム３２に対して前側に向かって移動する。
【００６４】
図１８〜２０に示すように、下カム３５のガイドボス６４が第２レーン５２の移動区間８６を通過するとき、下カム３５は軸ボス５９を中心にして反時計回りに回動する。下カム３５の回動に連動して、下フック３６も一体的に回動する。これにより、保持された下軸１２が移動する。下カム３５のガイドボス６４が第２レーン５２の移動区間８６を通過中、下軸１２は、保持位置から後側に向かって移動する。その後、下軸１２は、前側に向かって移動して、保持位置に戻る。この間もアーム３１は移動して、下軸１２が吹出口５から離れてから近づくように移動しながら導風パネル１０は開いていく。なお、下軸１２の保持位置は、導風パネル１０が閉姿勢にあるときの下軸１２の位置である。
【００６５】
図２１〜２３に示すように、さらに回転体３４が回転すると、下カム３５および下フック３６は移動しないので、下軸１２は停止位置にある。アーム３１はさらに移動して、導風パネル１０が大きく開く。導風パネル１０が最大開角度になると、駆動モータ３７が停止される。
【００６６】
導風パネル１０が設定された開角度で開くと、制御装置１４は、冷凍サイクル１３を制御して、指示された冷房運転を行う。吹出口５からの冷風が導風パネル１０に導かれて、水平に遠くまで吹き出す。
【００６７】
導風パネル１０が下軸１２を中心にして上開きするとき、導風パネル１０の開角度に応じて下軸１２が移動する。停止位置にある下軸１２は、吹出口５の下側の端縁の近くにある。下軸１２は、吹出口５の端縁から一旦離れ、そして元に戻るように移動する。
【００６８】
運転停止の指示があると、制御装置１４は、回転体３４が時計回りに回転するように駆動モータ３７を駆動する。アーム３１が後方に向かって移動し、導風パネル１０が閉じ始める。導風パネル１０が閉じてから、上フック３３が上カム３２に対して移動して、上軸１２が保持される。制御装置１４は、駆動モータ３７を停止させ、運転を停止する。各カム３２、３５および各フック３３、３６は、それぞれ停止位置で停止し、アーム３０はイニシャル位置で停止して、導風パネル１０が閉姿勢で保持される。
【００６９】
図２４に示すように、上開きした導風パネル１０の開角度が中間のとき、吹出口５内に対応する位置にある下軸１２は吹出口５から離れる方向に移動する。このとき、導風パネル１０の下側の端縁は、吹出口５の下側の端縁に近づく。下軸１２が移動しない場合、導風パネル１０の下側の端縁は吹出口５の中央側に寄り、導風パネル１０と吹出口５の端縁との間に隙間ができる。下軸１２が移動することにより、この隙間の発生が解消される。そのため、導風パネル１０と吹出口５との隙間が小さくなり、隙間から漏れる冷風が少なくなる。特に、中間の開角度において、コアンダ気流が生じる。この開角度で開いた導風パネル１０とキャビネット３との隙間が小さくなり、冷風の漏れが減る。したがって、冷風をロスなく遠くまで届けることができ、コアンダ効果を大いに発揮させることができる。また、導風パネル１０の開角度が大きいとき、下軸１２は吹出口５の端縁の近くにあり、導風パネル１０の端縁は吹出口５に近づく。導風パネル１０と吹出口５との隙間が小さくなるので、冷風の漏れが少なくなり、吹き出す風量のロスがなくなる。
【００７０】
このように、導風パネル１０の開角度に応じて下軸１２を移動させることにより、送風性能を向上させることができる。また、冷風の漏れを防ぐことにより、吹出口５の周囲での発露をなくすことができる。これにより、発露対策の断熱材を設ける必要がなくなり、外観性の優れたキャビネット３を実現できる。
【００７１】
次に、暖房運転の指示があると、制御装置１４は、導風パネル１０が下開きするように駆動モータ３７を駆動制御する。駆動モータ３７が動作すると、回転体３４は時計回りに回転する。
【００７２】
図２５〜２７に示すように、下カム３５のガイドボス６４が第２レーン５２の解除区間を通過する。下カム３５のガイドボス６４が回転体３４の中心から遠ざかるように移動すると、下カム３５が軸ボス６３を中心にして時計回りに回動する。下カム３５の回動に伴い、下フック３６の移動ボス６６が押されて、下フック３６が回動しようとする。下フック３６のガイドボス６６が第６レーン５６に嵌められているので、下フック３６は回動せずに第６レーンに沿って下側に移動する。下カム３５と下フック３６は互いに離れるように移動し、下軸１２の保持が解除される。
【００７３】
このとき、上カム３２のガイドボス６０は第３レーン５３の大円周区間８４を通過する。上フック３３のガイドボス５８は第１レーン５１の円周区間８１を通過する。上カム３２および上フック３３は移動しない。アーム３１の内ガイドボス７５は第５レーン５５の解除区間８８を通過する。アーム３１はキャビネット３から突出しない。これにより、下軸１２の保持が解除されるとき、導風パネル１０は閉姿勢のままである。
【００７４】
下カム３５のガイドボス６４が第２レーン５２の解除区間８５を通過中、下カム３５のガイドボス６４が回転体３４の中心に近づくように移動する。この間に、アーム３１の内ガイドボス７５が第５レーン５５の下側の移動区間８９に差し掛かると、アーム３１はキャビネット３から突出するように移動する。上軸１２が保持されているので、導風パネル１０は上軸１２周りに回動し、導風パネル１０が下開きする。下軸１２が下カム３５と下フック３６の間から離れると、下カム３５が軸ボス６３を中心にして反時計回りに回動する。下カム３５の回動に伴い、下フック３６は上側に移動する。下カム３５と下フック３６は互いに近づくように移動し、下カム３５のガイドボス６４が第２レーン５２の解除区間８５を通り過ぎると、下カム３５および下フック３６は停止する。
【００７５】
図２８〜３０に示すように、下カム３５のガイドボス６４が第２レーン５２の円周区間８７に差し掛かると、上カム３２のガイドボス６０が第３レーン５３の移動区間８２を通過する。上フック３３は、第１レーン５１の円周区間８１を通過している。上カム３２のガイドボス６０は回転体３４の中心から遠ざかるように移動する。上カム３２は、軸ボス５９を中心に反時計回りに回動する。上フック３３も上カム３２の軸ボス５９を中心にして上カム３２と一体的に回動する。上カム３２の回動に伴って、導風パネル１０が開きながら下軸１２が移動する。下軸１２は、吹出口５の上側の端縁に近づきつつキャビネット３から離れる方向に移動する。
【００７６】
図３１〜３３に示すように、上カム３２のガイドボス６０が第３レーン５３の大円周区間８４に差し掛かると、上カム３２および上フック３３は移動しなくなり、下軸１２の移動が停止する。アーム３１はキャビネット３からさらに突出するので、導風パネル１０は上軸１１を中心にして時計回りに回動して、さらに開く。導風パネル１０が最大開角度になると、駆動モータ３７が停止される。
【００７７】
導風パネル１０が設定された開角度で開くと、制御装置１４は、冷凍サイクル１３を制御して、指示された暖房運転を行う。吹出口５からの温風が導風パネル１０に導かれて、床に向かって吹き出す。
【００７８】
導風パネル１０が上軸１１を中心にして下開きするとき、導風パネル１０の開角度に応じて上軸１１が移動する。停止位置にある上軸１１は、吹出口５の上側の端縁から離れている。上軸１１は、吹出口５の端縁の前方に向かうように移動する。導風パネル１０は吸込口５の上壁２１に連なり、導風パネル１０は吹出口５の一部となり、吹出口５が延長する。吹出口５からの風が導風パネル１０によって長く案内され、所望の方向にスムーズな送風を行える。したがって、気流を制御しやすくなり、送風性能を向上させることができる。
【００７９】
運転停止の指示があると、制御装置１４は、回転体３４が反時計回りに回転するように駆動モータ３７を駆動する。アーム３１が後方に向かって移動し、導風パネル１０が閉じる。下カム３５と下フック３６が一旦離れてから近づくように移動して、下軸１２が保持される。制御装置１４は、駆動モータ３７を停止させ、運転を停止する。各カム３２、３５および各フック３３、３６は、それぞれ停止位置で停止し、アーム３１はイニシャル位置で停止して、導風パネル１０が閉姿勢で保持される。
【００８０】
このように、導風パネル１０の開閉時に上軸１１が移動することにより、上軸１１が吹出口５の上側の端縁から離れた位置に配することができる。これにより、導風パネル１０を大きくしても、キャビネット３に干渉されずに導風パネル１０を開閉することが可能となる。
【００８１】
（第２実施形態）
図３４に示すように、前面パネル１８の前面上部に、空気が流通する開口として前面吸込口１００が形成されている。前面吸込口１００を覆う前カバー１０１が設けられている。前カバー１０１は前面パネル１８に開閉可能に取り付けられる。前カバー１０１は、上軸１０２あるいは下軸１０３を中心にして開閉する開閉パネルである。空調運転時には、前カバー１０１は下軸１０３を中心にして上開きする。フィルタの交換などのメンテナンス時には、前カバー１０１は上軸１０２を中心にして下開きする。上軸１０２および下軸１０３が移動可能とされる。前カバー１０１の開閉機構は、第１実施形態のものと同じである。なお、その他の構成は第１実施形態と同じである。
【００８２】
前カバー１０１が上開きするとき、図３５、３６に示すように、前カバー１０１は下軸１０３を中心にして開閉する。前カバー１０１が開くにつれて、下軸１０３は、前方に移動して、前面吸込口１００から離れる。これにより、前カバー１０１の開角度を大きくすることが可能となり、前カバー１０１の上部とキャビネット３との間隔が広がり、空気をスムーズに吸い込むことが可能となる。したがって、空気の流れの乱れをなくすことができ、吸込抵抗が小さくなって、室内ファン２を効率よく駆動でき、省エネを図れる。
【００８３】
前カバー１０１が下開きするとき、図３７、３８に示すように、前カバー１０１は上軸１０２を中心にして開閉する。前カバー１０１が開くにつれて、上軸１０２は、前方に移動して、前面吸込口１００から離れる。これにより、前カバー１０１の開角度を大きくすることが可能となり、前カバー１０１の下部とキャビネット３との間隔が広がる。ユーザがフィルタの交換などの作業を行うとき、前カバー１０１が邪魔にならず、作業がしやすくなる。
【００８４】
（第３実施形態）
本実施形態の空気調和機では、図３９に示すように、導風パネル１０の代わりに複数の風向変更パネル１１０、１１１が設けられる。風向変更パネル１１０、１１１は、吹出口５を開閉する開閉パネルである。ここでは、２つの風向変更パネル１１０、１１１が前後に並べられ、各風向変更パネル１１０、１１１は独立して開閉可能とされる。なお、風向変更パネルは３つ以上であってもよい。各風向変更パネル１１０、１１１は、上下の軸１１２〜１１５を中心にして異なる方向に開閉する。そして、風向変更パネル１１０、１１１の上軸１１２、１１４および下軸１１３、１１５は移動可能とされ、風向変更パネル１１０、１１１の開閉機構は、第１実施形態のものと同じである。なお、その他の構成は第１実施形態と同じである。
【００８５】
各風向変更パネル１１０、１１１が閉姿勢にあるとき、吹出口５が塞がれる。冷房運転が行われるとき、水平方向に冷風が吹き出すように、各風向変更パネル１１０、１１１は開く。図４０に示すように、後側の風向変更パネル１１１は下軸１１５を中心にして上開きする。前側の風向変更パネル１１０の下軸１１３が後側の風向変更パネル１１１の前側端縁に近づくように移動して、前側の風向変更パネル１１０は下軸１１３を中心にして開く。これにより、２つの風向変更パネル１１０、１１１が連なって、１つの導風パネルとして機能する。このように２つの風向変更パネル１１０、１１１が協働して開くことにより、コアンダ気流を生じさせることができる。
【００８６】
図４１に示すように、２つの風向変更パネル１１０、１１１が下軸１１３，１１５を中心にして独立して開く。このとき、後側の風向変更パネル１１１の下軸１１５が吹出口５の下側の端縁に近づくように移動する。風向変更パネル１１１とキャビネット３との隙間が小さくなる。このように風向変更パネル１１１が開くと、冷風が隙間から漏れることなく、水平方向に吹き出される。また、前後の風向変更パネル１１０、１１１の開角度が異なるように風向変更パネル１１０、１１１が開閉することにより、スポット的に送風することができ、細かな風向制御が可能となる。
【００８７】
暖房運転が行われるとき、床に向かって温風が吹き出すように、各風向変更パネル１１０、１１１は開く。図４２に示すように、前側の風向変更パネル１１０は上軸１１２を中心として下開きする。上軸１１２は、吹出口５の上側の端縁に近づくように移動する。後側の風向変更パネル１１１は下軸１１５を中心として上開きする。下軸１１５は、吹出口５の下側の端縁に近づくように移動する。このように風向変更パネル１１０、１１１が開くと、各風向変更パネル１１０、１１１と吹出口５との隙間をなくすことができ、温風の漏れがなくなり、無駄のない送風を行える。
【００８８】
（第４実施形態）
本実施形態の空気調和機では、図４３に示すように、吸込口１２０がキャビネット１２１の前面に設けられ、吹出口１２２がキャビネット１２１の上面に設けられる。吹出口１２２を開閉する導風パネル１２３がキャビネット１２１に設けられる。導風パネル１２３は前後の軸１２４、１２５を中心にして開閉可能とされる。通風路１２６内に設けられたファン１２７が駆動すると、吸込口１２０から吸い込まれた空気が吹出口１２２から吹き出される。導風パネル１２３の開閉により、送風方向が制御される。そして、前軸１２４および後軸１２５が移動可能とされる。導風パネル１２３の開閉機構は、第１実施形態のものと同じである。なお、この空気調和機では、吸い込んだ空気を温度調節、除湿、加湿、除塵、除菌、脱臭、イオン付加などの処理を行い、吹出口１２２から処理済の空気を吹き出す。すなわち、空気調和機として、空気清浄機、除湿機、イオン発生機などを含む。
【００８９】
導風パネル１２３は、キャビネット１２１の上面全体を覆う。導風パネル１２３が閉姿勢のとき、前後の軸１２４、１２５はそれぞれキャビネット１２１の前側および後側に位置する。図４４に示すように、導風パネル１２３が後軸１２５を中心にして開くと、後軸１２５は、吹出口１２２から遠い位置から吹出口１２２に近い位置に移動する。吹出口１２２からの風は導風パネル１２３に沿って斜め上方向に吹き出される。
【００９０】
図４５に示すように、導風パネル１２３が前軸１２４を中心にして開くと、前軸１２４は吹出口１２２の前側の端縁よりも上方に移動する。この位置を中心にして導風パネル１２３が開閉する。導風パネル１２３の下側の端縁と吹出口１２２の端縁との前後方向のずれがなくなり、吹出口１２２から導風パネル１２３に滑らかにつながり、空気の流れの乱れをなくすことができる。
【００９１】
このように、吹出口１２２のサイズの制約を受けることなく、導風パネル１２３を大型のパネルにすることができる。大型のパネルにより、精度のよい風向制御が可能となる。また、導風パネル１２３が閉じているとき、キャビネット１２１の上面を覆い隠すことができ、キャビネット１２１に一体化したデザインが可能となり、優れた外観が得られる。
【００９２】
（第５実施形態）
空気調和機では、吹き出す空気にイオンを付加するイオン発生装置が搭載されている。例えば特開２００４−５３０４０号公報に記載されているように、イオン発生装置は、吹出口の近傍で通風路の上壁に設けられ、通風路に臨むように配置される。イオン発生装置からイオンが通風路に放出され、イオンは通風路を流れる風によって吹出口から吹き出される。
【００９３】
吹出口近傍の通風路には、風向板やルーバが設けられている。ルーバは左右方向にわたって通風路内を横切るように配される。ルーバがイオン発生装置の近くの下流側に配置される場合、イオン発生装置から放出されたイオンがルーバに衝突して、イオンが消失してしまう。吹出口から吹き出されるイオン量が減り、イオンによる効果を発揮させることができなくなる。
【００９４】
また、吹出口近傍では、風はルーバに沿って流れやすい。そのため、ルーバがイオン発生装置の下方に配置される場合、ルーバに沿う流れが主流となるので、通風路の上壁の近傍を流れる風が減少してしまう。イオン発生装置の近くでの風量が少ないので、通風路に放出されたイオンが遠くまで運ばれなくなり、偏ったイオン分布となる。このように、必要な量のイオンが室内に広まらず、イオンの効果が十分に発揮できなくなる。そこで、上記に鑑み、通風路に放出されたイオンを無駄なくキャビネット外部に導くことができる空気調和機の提供を目的とする。
【００９５】
本実施形態の空気調和機の室内ユニットを図４６に示す。室内ユニットは、熱交換器１および室内ファン２を備え、これらがキャビネット３に内装されている。キャビネット３に、吸込口４および吹出口５が形成される。吸込口４は、キャビネット３の上面に形成される。キャビネット３の前面から底面にかけて湾曲面とされ、湾曲面に吹出口５が形成される。
【００９６】
キャビネット３の内部には、吸込口４から吹出口５に至る通風路６が形成され、この通風路６に熱交換器１と室内ファン２とが配設される。吸込口４と熱交換器１との間に、フィルタが配され、吸込口４から吸込んだ室内の空気から塵埃がフィルタにより除去される。
【００９７】
キャビネット３には、吹出口５を開閉する導風パネル１０が設けられる。導風パネル１０は、吹出口５の前方に配され、上下の軸周りに回動して、上開きあるいは下開きする。なお、導風パネル１０の開閉機構は、第１実施形態のものと同じである。
【００９８】
吹出口５に、風向板２５およびルーバ２６が設けられる。風向板２５は、左右方向に角度を変えて、左右方向の風向きを変える。ルーバ２６は、上下方向に角度を変えて、上下方向の風向きを変える。ルーバ２６は、風向板２５よりも送風方向の下流側に位置する。
【００９９】
通風路６は、上下左右の壁によって形成される。風向板２５は、通風路６の下壁２３に左右方向に回動可能に取り付けられる。ルーバ２６は、左右方向に長い水平な板状に形成され、ルーバ２６は左右の側壁に回動可能に支持される。ルーバ２６はモータの駆動により回動される。
【０１００】
吹出口５の近傍のキャビネット３内に、イオン発生装置２７が設けられる。イオン発生装置２７は、通風路６に臨むように配される。通風路６の上壁２１に、イオン発生装置２７が装着される。イオン発生装置２７の通風路６に面する外面は、保護カバー１３０で覆われている。保護カバー１３０には、風が通り抜けるように多数のスリットが形成されている。イオン発生装置２７は、風向板２５よりも送風方向の下流側に位置し、ルーバ２６の上方に位置する。また、イオン発生装置２７は、吹出口５の左右方向の中央に配置される。
【０１０１】
イオン発生装置２７に風を導くために、通風路６に、風の流れを調節する導風板１３１が設けられる。導風板１３１は、ルーバ２６と同様に水平な板状に形成され、導風板１３１の左右の支軸１３２が左右の側壁に回動可能に支持される。支軸１３２は導風板１３１に対して通風路６の中央側にある。導風板１３１は、モータによって回動される。なお、１つのモータをルーバ２６と導風板１３１が共用してもよく、それぞれ別々のモータを用いてもよい。
【０１０２】
導風板１３１は、ルーバ２６と風向板２５との間でルーバ２６よりも上壁２１の近くに位置する。導風板１３１は、イオン発生装置２７よりも送風方向上流側に配置され、保護カバー１３０の上流側の近くに配置される。
【０１０３】
室内ファン２が回転すると、通風路６を風が流れる。導風板１３１により、風の一部がイオン発生装置２７に向かう。風は、イオン発生装置２７の下方、すなわち保護カバー１３０の内部および外面に沿って流れる。イオン発生装置２７から放出されたイオンは、この風に運ばれて、吹出口５からキャビネット外に吹き出される。
【０１０４】
イオン発生装置２７から放出されたイオンは、下方に位置するルーバ２６に衝突する前に、導風板１３１に導かれた風により運ばれていく。そのため、イオンの消失を防ぐことができ、発生したイオンを無駄なく室内に広めることができる。したがって、イオンが室内に満遍なく分布して、イオンの効果を十分に発揮させることができる。
【０１０５】
ここで、イオン発生装置２７はキャビネット３に着脱可能に装着される。イオン発生装置２７の近くにルーバがない構造にすることができるので、イオン発生装置２７を着脱する作業の邪魔になるものがなく、作業がしやすくなる。
【０１０６】
（第６実施形態）
図４７に示すように、導風板１３１の支軸１３２が導風板１３１の前側に位置する。その他の構成は第５実施形態と同じである。導風板１３１の後側が下がるように回動すると、イオン発生装置２７に導かれる風量が増す。これにより、室内の高所にイオンが集中して吹き出される。
【０１０７】
導風板１３１が通風路６の上壁２１と平行になるように回動すると、イオンを遠くまで運ぶことができ、広い範囲にイオンが吹き出される。このように、導風板１３１の傾きを大きく変化させることにより、イオンを特定の方向に向けて吹き出すことができる。
【０１０８】
（第７実施形態）
図４８に示すように、導風板１３１とルーバ２６が連結される。両者は支軸１３２を中心として一体化に回動する。その他の構成は第５実施形態と同じである。導風板１３１がイオン発生装置２７側に近づくように傾けられると、導風板１３１により導かれた風によりイオンが下流側に運ばれ、さらにルーバ２６からの風によりイオンが遠くまで運ばれる。これにより、多くの風によってイオンを吹き出させることができる。
【０１０９】
導風板の他の形態として、図４９に示すように、イオン発生装置２７の幅に合わせた導風板１３３としてもよい。導風板１３３の左右方向の長さは、イオン発生装置２７の幅と同じ、あるいは少し長くされる。導風板１３３は、通風路６の上壁２１に取り付けられる。これにより、通風路６における送風の抵抗を少なくできる。
【０１１０】
以上の通り、本発明の空気調和機は、キャビネット３に、キャビネット３内外の空気が流通する開口が形成され、開口に、開閉パネルが開閉可能に設けられ、開閉パネルの一側に第１軸が位置し、開閉パネルの他側に第２軸が位置し、開閉パネルは各軸を中心にして両開き可能とされ、第１軸および第２軸は開口に対して移動可能とされたものである。開閉パネルが開閉するとき、開閉中心となる軸側の開閉パネルの端部が開口に近接あるいは離間するように、開閉中心の軸が移動する。
【０１１１】
この軸の移動により、開閉パネルの端部を開口の近くに移動させることができる。これにより、開閉パネルと吹出口５との隙間を小さくでき、隙間から漏れる風を減らすことができ、送風性能の向上を図れる。
【０１１２】
第１軸が開口の一側の端縁から離れた位置に設けられ、第２軸が開口の他側の端縁の近くに設けられる。これにより、開閉パネルは開口より大きくなる。開閉パネルが第１軸を中心にして開くとき、第１軸は開口に近づくように移動し、開閉パネルが第２軸を中心にして開くとき、第２軸は開口から離れる方向に移動してから開口に近づく方向に移動する。大きな開閉パネルであっても、開閉パネルが開閉するとき、キャビネット３の干渉を避けることができる。
【０１１３】
開閉パネルを開閉するための開閉機構は、各軸を保持する２つの軸保持部と、各軸を移動させる軸移動部と、開閉パネルを移動させるパネル移動部とを備える。第１軸あるいは第２軸のいずれか一方の軸を中心にして開閉パネルが開閉するとき、一方の軸は一方の軸保持部に保持され、他方の軸は他方の軸保持部による保持を解除され、開閉パネルの移動に連動して一方の軸が移動する。そして、軸保持部は、下方から軸を支える。
【０１１４】
開閉パネルが開くとき、軸保持部が動作した後、軸移動部およびパネル移動部が連動して動作し、開閉パネルが閉じるとき、軸移動部およびパネル移動部が動作した後、軸保持部が動作する。これにより、開閉パネルが閉じているときに、軸の保持および解除が行われ、開閉パネルの脱落を防げる。
【０１１５】
軸保持部、軸移動部およびパネル移動部は１つの駆動源を共用する。これにより、開閉機構をユニット化でき、設置スペースをコンパクトできる。
【０１１６】
ここで、開口は、温風あるいは冷風を吹き出す吹出口５とされ、開閉パネルは吹出口５より大きく形成される。例えば、吹出口５がキャビネット３の前面に形成されると、第１軸が上軸１１となり、第２軸が下軸１２となる。開閉パネルである導風パネル１０は吹出口５より大に形成される。また、開閉パネルが風向変更パネルである場合、複数の風向変更パネルが組み合わされると、１つのパネルとなり、このパネルは吹出口５よりも大となる。
【０１１７】
また、空気調和機は、キャビネット３に、風を吹き出す開口に通じる通風路６が形成され、通風路６にイオンを放出するイオン発生装置２７が設けられ、通風路６に、風の流れを調節する導風板１３１が設けられ、導風板１３１はイオン発生装置２７よりも送風方向上流側に配置されたものである。
【０１１８】
導風板１３１はイオン発生装置２７に風を導く。これにより、イオン発生装置２７から放出されたイオンを無駄なく外部に吹き出すことができる。
【０１１９】
導風板１３１は軸周りに回動可能に支持される。導風板１３１の傾きを変えることにより、イオン発生装置２７に導く風量を調節することができる。また、通風路６に、風の吹き出し方向を調節するためのルーバ２６が設けられ、ルーバ２６は、導風板６よりも送風方向下流側に配置される。ルーバ２６と協働して、イオンの吹出方向を決めることができる。
【０１２０】
なお、本発明は、上記実施形態に限定されるものではなく、本発明の範囲内で上記実施形態に多くの修正および変更を加え得ることは勿論である。導風パネル１０を開閉可能に支持する２つの軸がキャビネット３に移動可能に設けられ、導風パネル１０に軸保持部が設けられる。軸保持部は、軸を嵌め込む軸受とされる。キャビネット３に設けられた第１軸および第２軸は軸方向に移動可能とされる。第１軸が軸受に近づくように移動すると、第１軸が軸受に嵌まり、第１軸が保持される。第１軸が軸受から抜けるように移動すると、第１軸の保持が解除される。軸受に保持された第１軸を上下方向および前後方向に移動させることにより、導風パネル１０も第１軸とともに移動する。第２軸も同様に保持および移動される。
【０１２１】
導風パネル１０において、下軸１２が吹出口５の下側の端縁から外側に離れた位置に配される。そして、導風パネル１０が開閉するとき、下軸１２は吹出口５の端縁に近づくように移動する。これにより、導風パネル１０の開閉時に導風パネル１０と吹出口５との間の隙間を小さくでき、冷風の漏れを減らせる。しかも、導風パネル１０をより一層大きくすることが可能となり、送風を制御しやすくなる。
【０１２２】
軸保持部として、軸を掴むチャックとする。チャックが導風パネル１０の軸を掴むと、軸が保持され、チャックが導風パネル１０の軸を放すと、軸の保持が解除される。軸移動部は、チャックを移動させる。軸移動部として、リンク機構、あるいは伸縮可能なアームとする。この場合、第１軸と第２軸とは独立して移動可能とされ、各軸に対する軸移動部は別々の駆動モータによって動作される。
【符号の説明】
【０１２３】
３    キャビネット
５    吹出口
６    通風路
１０    導風パネル
１１    上軸
１２    下軸
２６    ルーバ
２７    イオン発生装置
３０    ベース材
３１    アーム
３２    上カム
３３    上フック
３４    回転体
３５    下カム
３６    下フック
３７    駆動モータ
４０    ケース
【図１】
0006648988.tif 000002
【図２】
0006648988.tif 000003
【図３】
0006648988.tif 000004
【図４】
0006648988.tif 000005
【図５】
0006648988.tif 000006
【図６】
0006648988.tif 000007
【図７】
0006648988.tif 000008
【図８】
0006648988.tif 000009
【図９】
0006648988.tif 000010
【図１０】
0006648988.tif 000011
【図１１】
0006648988.tif 000012
【図１２】
0006648988.tif 000013
【図１３】
0006648988.tif 000014
【図１４】
0006648988.tif 000015
【図１５】
0006648988.tif 000016
【図１６】
0006648988.tif 000017
【図１７】
0006648988.tif 000018
【図１８】
0006648988.tif 000019
【図１９】
0006648988.tif 000020
【図２０】
0006648988.tif 000021
【図２１】
0006648988.tif 000022
【図２２】
0006648988.tif 000023
【図２３】
0006648988.tif 000024
【図２４】
0006648988.tif 000025
【図２５】
0006648988.tif 000026
【図２６】
0006648988.tif 000027
【図２７】
0006648988.tif 000028
【図２８】
0006648988.tif 000029
【図２９】
0006648988.tif 000030
【図３０】
0006648988.tif 000031
【図３１】
0006648988.tif 000032
【図３２】
0006648988.tif 000033
【図３３】
0006648988.tif 000034
【図３４】
0006648988.tif 000035
【図３５】
0006648988.tif 000036
【図３６】
0006648988.tif 000037
【図３７】
0006648988.tif 000038
【図３８】
0006648988.tif 000039
【図３９】
0006648988.tif 000040
【図４０】
0006648988.tif 000041
【図４１】
0006648988.tif 000042
【図４２】
0006648988.tif 000043
【図４３】
0006648988.tif 000044
【図４４】
0006648988.tif 000045
【図４５】
0006648988.tif 000046
【図４６】
0006648988.tif 000047
【図４７】
0006648988.tif 000048
【図４８】
0006648988.tif 000049
【図４９】
0006648988.tif 000050